(57)【要約】      （修正有）【課題】穿孔処理に関わる動作を並列処理することにより、生産性を向上させる。【解決手段】整合手段２８０によりシートを整合する際に、シートを穿孔処理位置からシート搬送方向と直交する幅方向にずれた積載位置に移動させるシート位置変更手段２７０に設けられている搬送手段２９０の挟持を解除するとともに、搬送手段２９０の挟持を解除している間に、シート位置変更手段２７０を穿孔処理位置から幅方向にずれた積載位置に移動させる方向とは反対方向に、穿孔処理位置から積載位置までの移動量を予め移動させる。【選択図】図５
2012206784.tif 000002
【特許請求の範囲】
【請求項１】
シートに対して穿孔処理を行う穿孔手段を備えたシート処理装置において、
前記穿孔手段よりシートの搬送方向下流側に配設され、シートを前記穿孔手段による穿孔処理位置からシート搬送方向と直交する幅方向にずれた積載位置に移動させるシート位置変更手段と、
前記シート位置変更手段に設けられ、シートを挟持して搬送する搬送手段と、
前記搬送手段によるシートの挟持を解除する解除手段と、
前記シートの搬送方向と直交する方向の端部を整合する整合手段と、
前記各手段の動作を制御する制御手段と、
を有し、
前記制御手段は、前記整合手段によりシートを整合する際に、前記シート位置変更手段に設けられている搬送手段の挟持を解除するとともに、前記搬送手段の挟持を解除している間に、前記シート位置変更手段を前記穿孔処理位置から前記幅方向にずれた積載位置に移動させる方向とは反対方向に、前記穿孔処理位置から前記積載位置までの移動量を予め移動させることを特徴とするシート処理装置。
【請求項２】
前記シート位置変更手段が有する搬送手段は、シートの搬送方向に複数の搬送手段を設けてなり、各搬送手段は駆動搬送ローラと従動搬送ローラからなる搬送ローラ対であり、前記解除手段により、対向する一方の搬送ローラを他方の搬送ローラから離間させることにより、シートの挟持を解除することを特徴とする請求項１に記載のシート処理装置。
【請求項３】
前記シート位置変更手段に設けられ、シートの搬送経路に突出し、シートを前記穿孔手段に向けて移動させるための移動手段を有することを特徴とする請求項１又は請求項２に記載のシート処理装置。
【請求項４】
前記移動手段は、前記シート位置変更手段が有する搬送手段の前記穿孔手段に向けた駆動により、シートを前記穿孔手段に向けて移動させることを特徴とする請求項３に記載のシート処理装置。
【請求項５】
シートに画像を形成する複数の画像形成部を備えた画像形成装置本体と、前記画像形成装置本体から排出されたシートに選択的に処理を施すシート処理装置と、から構成される画像形成システムにおいて、
前記シート処理装置として、請求項１乃至請求項４のいずれか１項に記載のシート処理装置を有することを特徴とする画像形成システム。
【発明の詳細な説明】
【技術分野】
【０００１】
本発明は、シートに孔をあける穿孔処理を施すことが可能なシート処理装置及びこのシート処理装置を有する画像形成装置に関する。
【背景技術】
【０００２】
従来、搬送中のシートを一時停止させた後に、シートに孔をあける穿孔処理を施すシート処理装置が開示されている（特許文献１）。
【０００３】
特許文献１では、以下のようにして穿孔処理が行われる。まず、突き当て部材をシートの搬送路より退避させた状態でシートを搬送ローラにより挟持して搬送し、シートの先端部が穿孔手段を通過した後、前記搬送ローラによるシートへの挟持を解除し、整合手段によりシートを幅整合する。続いて前記整合したシートを前記搬送ローラにより再び挟持して搬送し、シートの搬送路に挿入した前記突き当て部材にシートの後端部を当接させた後、穿孔手段によりシートに対して穿孔処理をする。
【先行技術文献】
【特許文献】
【０００４】
【特許文献１】特開２００４−２１７３３７号公報
【発明の概要】
【発明が解決しようとする課題】
【０００５】
しかしながら、特許文献１においては、穿孔処理を施す時に、搬送ローラによるシートの挟持解除、シートの整合、シートの搬送方向の位置合せ、シートの穿孔処理の動作を１つ１つ順番に行っている。そのため、各々の動作に関する処理、処理移行の時間等が必要となり、生産性が低下するという問題がある。
【０００６】
本発明の目的は、穿孔処理に関わる動作を並列処理することにより、生産性の向上が可能となるシート処理装置を提供しようとするものである。
【課題を解決するための手段】
【０００７】
上記目的を達成するため、本発明は、シートに対して穿孔処理を行う穿孔手段を備えたシート処理装置において、前記穿孔手段よりシートの搬送方向下流側に配設され、シートを前記穿孔手段による穿孔処理位置からシート搬送方向と直交する幅方向にずれた積載位置に移動させるシート位置変更手段と、前記シート位置変更手段に設けられ、シートを挟持して搬送する搬送手段と、前記搬送手段によるシートの挟持を解除する解除手段と、前記シートの搬送方向と直交する方向の端部を整合する整合手段と、前記各手段の動作を制御する制御手段と、を有し、前記制御手段は、前記整合手段によりシートを整合する際に、前記シート位置変更手段に設けられている搬送手段の挟持を解除するとともに、前記搬送手段の挟持を解除している間に、前記シート位置変更手段を前記穿孔処理位置から前記幅方向にずれた積載位置に移動させる方向とは反対方向に、前記穿孔処理位置から前記積載位置までの移動量を予め移動させることを特徴とする。
【発明の効果】
【０００８】
本発明によれば、整合手段にてシートを整合する際に、シート位置変更手段が有する搬送手段の挟持を解除して、シートの移動を容易にさせる。同時に、搬送手段の挟持を解除している間に、シート位置変更手段を穿孔処理位置から幅方向にずれた積載位置に移動させる方向とは反対方向に、穿孔処理位置から積載位置までの移動量、予め移動させる。これにより、穿孔処理後、シートの所望の積載位置への移動を終了した時点で、シート位置変更手段を初期位置（穿孔処理位置）に戻すことができ、シート位置変更手段が位置移動することなく次のシートを受け取ることができる。このように、穿孔処理に関わる動作を同時に並列処理することにより、生産性の向上が可能となる。
【図面の簡単な説明】
【０００９】
【図１】画像形成装置本体とシート処理装置とからなる画像形成システムの断面図
【図２】シート処理装置における穿孔手段及びシート位置変更手段の部分断面図
【図３】シート処理装置における穿孔手段及びシート位置変更手段の上視図
【図４】シート処理装置における穿孔手段及びシート位置変更手段の部分断面図
【図５】シート処理装置における穿孔手段及びシート位置変更手段の部分断面図
【図６】シートの流れと各手段の動作を示す上視図
【図７】シートの流れと各手段の動作を示す上視図
【図８】シートの穿孔位置（初期位置）と積載位置を示す平面図
【図９】シートの流れと各手段の動作を示す上視図
【図１０】シートの流れと各手段の動作を示す上視図
【図１１】シート処理装置における穿孔手段及びシート位置変更手段の部分断面図
【図１２】システム全体の制御構成を示すブロック図
【図１３】動作の流れを示すフローチャート図
【図１４】第２実施形態に係るシート処理装置における穿孔手段及びシート位置変更手段の部分断面図
【図１５】第２実施形態に係るシート処理装置における穿孔手段及びシート位置変更手段の上視図
【発明を実施するための形態】
【００１０】
以下、図面を参照して、本発明の好適な実施の形態を例示的に詳しく説明する。ただし、以下の実施形態に記載されている構成部品の寸法、材質、形状、それらの相対配置などは、本発明が適用される装置の構成や各種条件により適宜変更されるべきものである。従って、特に特定的な記載がない限りは、本発明の範囲をそれらのみに限定する趣旨のものではない。
【００１１】
〔第１実施形態〕
第１実施形態に係るシート処理装置について、図１〜図１３を用いて説明する。
【００１２】
図１に、画像形成装置本体１００とシート処理装置２００から構成される画像形成システムの一形態を示す。まず、画像形成システム全体の概略構成について説明し、次いで、シート処理装置の構成及び動作について説明する。
【００１３】
図１に例示した画像形成システムは、シートに画像を形成する複数の画像形成部を備えた画像形成装置本体１００と、装置本体１００から排出されたシートに選択的に処理を施すシート処理装置２００とから構成される。
【００１４】
画像形成装置本体１００が有する各画像形成部は、イエロー、マゼンタ、シアン、ブラックの各感光体ドラム１０５〜１０８と、各感光体ドラムに作用するプロセス手段とから構成される。この各画像形成部は、画像情報に応じた各色の画像を形成する。なお、各画像形成部が有するプロセス手段としては、感光体ドラムの表面を均一に帯電する帯電手段、感光体ドラムの表面に形成された潜像を、トナーを用いて現像する現像手段、転写後に感光体ドラムの表面に残留したトナーを除去するクリーニング手段などがある。
【００１５】
画像形成装置本体１００内の給送カセット１０１〜１０４から給送されたシートは、それぞれイエロー、マゼンタ、シアン、ブラックの感光体ドラム１０５〜１０８から４色のトナー像が転写され、定着器１１０に搬送され、定着後、装置外に向けて排出される。
【００１６】
画像形成装置本体１００から排出されたシートは、シート処理装置２００内に搬送される。
【００１７】
次に、シート処理装置２００についてシートの搬送の流れに沿って説明する。
【００１８】
先ず、画像形成装置本体１００から排出されたシートＳは、入口ローラ対２０１にてシート処理装置２００内へ搬送される。入口ローラ対２０１の下流側には、シートに対して穿孔処理を行う穿孔手段２４０が配置されている。
【００１９】
さらに穿孔手段２４０の下流側には、シートの搬送方向と直交する方向の位置を検知するためのシート位置検知手段３００が配置されている。シート位置検知手段３００は、シートの搬送方向と直交する方向に移動して、シートの搬送方向と直交する方向のシート端部の位置を検知する。
【００２０】
そして、シート位置検知手段３００の下流側には、前記シート位置検知手段３００の検知情報に基づいて、搬送中のシートを搬送方向と直交する方向に移動させ、シートの位置の変更を行うシート位置変更手段２７０が配置されている。シート位置変更手段２７０は、シートを挟持して搬送する複数の搬送手段２９０を有している。
【００２１】
ここでは、複数の搬送手段２９０として、シートの搬送方向上流側の第１搬送ローラ対２０３，２７３と、下流側の第２搬送ローラ対２０４，２７４を例示している。これらの搬送ローラ対については後述する。シート位置変更手段２７０は、この２つの搬送ローラ対にてシートを下流側に搬送しながら、不図示の駆動手段により、図中手前奥方向（シートの搬送方向と直交する方向）に移動可能な構成となっている。
【００２２】
そして、シート位置変更手段２７０を通過したシートは、搬送ローラ対２０６，２０７，２０８により更に下流に搬送され、切替部材２２１によって搬送経路を切り替えられる。搬送ローラ対２０８に搬送されるシートは、切替部材２２１を切り替えることにより、処理を施すための処理前搬送経路２２４、または、そのまま処理を施さずにシートを上排出積載台２５０へ排出する上排出経路２２３に案内される。
【００２３】
上排出経路２２３に搬送されたシートは、上排出ローラ２１１を経由して、昇降可能な上排出積載台２５０上に排出される。
【００２４】
処理前搬送経路２２４に搬送されたシートは、処理前搬送ローラ対２０９，２１０を経由して、下搬送路切替部材２２２を切り替えることにより、処理搬送経路２２５または中綴じ搬送経路２２６に案内される。
【００２５】
処理搬送経路２２５に搬送されたシートは、処理トレイ２５３上に向けて案内され、処理トレイ２５３上にて整合が行われ、その後、シート束の後端側に平綴じステイプラ２６０等の綴じ手段にて処理が施され、下排出積載台２５１上に排出される。
【００２６】
中綴じ搬送経路２２６に搬送されたシートは、整合が行われた後、シートの搬送方向の略中央近傍に中綴じステイプラ２６１等の綴じ手段にて処理が施され、その後、そのシート束を２つ折り処理して冊子とする。
【００２７】
次に、図２、図３を用いて、穿孔手段２４０、シート位置変更手段２７０に関わる構成について説明する。図２、図３において、穿孔手段２４０内には、シートに穿孔を行うポンチ２４１が設けられている。ポンチ２４１の上流近傍には、回動中心軸２４３を中心に回動して、シート搬送経路に対して出没可能に構成された後端ストッパー部材２４２が配置されている。
【００２８】
後端ストッパー部材２４２は、不図示の回動バネにより、搬送経路内に突出するように付勢されている。搬送経路内に突出した位置にある後端ストッパー部材２４２は、搬送されるシートに押されて回動バネの付勢力に抗して回動し、搬送経路外に退避した位置に移動する。搬送されるシートが通過することで、回動バネの付勢力により再び搬送経路内に突出した位置に戻る。このように後端ストッパー部材２４２は、シートが後端ストッパー部材２４２を通過する度に、搬送経路に対して退避と突出を繰り返す。
【００２９】
ここでは、図２に示すように、後端ストッパー部材２４２を検知する検知センサ（検知手段）２４４が設けられている。この検知センサ２４５は、後端ストッパー部材２４２が搬送経路内に突出している時にはＯＦＦしており、後端ストッパー部材２４２が搬送経路外へ退避することでＯＮする。これにより、シートが後端ストッパー部材２４２を通過したか否かを検知している。
【００３０】
なお、ここでは、後端ストッパー部材２４２を検知する検知センサ２４５を用いているが、これに限定されるものではない。例えば、シートの搬送開始からのモータの回転数、あるいは駆動時間などを用いて、シートが後端ストッパー部材２４２を通過したか否かを判断するようにすることも可能である。
【００３１】
シート位置変更手段２７０は、穿孔手段２４０の下流側に配置され、シートを搬送方向と直交する方向（図中手前奥方向）に移動させることが可能である。シート位置変更手段２７０は、第１駆動搬送ローラ２０３、第１従動搬送ローラ２７３からなる第１搬送ローラ対と、第２駆動搬送ローラ２０４、第２従動搬送ローラ２７４からなる第２搬送ローラ対を有し、シートを挟持して搬送する。
【００３２】
また、第１従動搬送ローラ２７３と第２従動搬送ローラ２７４は１対の解除リンク２７５にて連結されており、連結軸２７６を介して、解除ソレノイド２７７とも連結されている。後述する解除手段４２５（図１２参照）を構成する解除ソレノイド２７７を作動させることにより、各従動搬送ローラ２７３，２７４が駆動搬送ローラ２０３，２０４から離間して、シートに対しての挟持を解除する。
【００３３】
整合手段２８０は、シート搬送方向とは直交する方向（図３中矢印Ａ方向、以下シート幅方向）に移動可能に設けられており、シート幅方向の略中央を基準にしてシートの幅方向端部を整合する。整合手段２８０は、穿孔手段２４０の下流側近傍に配設されており、シートＳの姿勢の矯正に寄与する。整合手段２８０は、穿孔手段２４０の近傍に設けられており、穿孔処理されるシートＳの端部に近いため、確実にシートＳの姿勢を矯正することが可能である。
【００３４】
更に整合手段２８０は、搬送されてきたシートの姿勢を矯正するために、ある程度のシート搬送方向の長さを有している。整合手段２８０の搬送方向の長さの中心は、シート位置変更手段２７０が有する第１駆動搬送ローラ２０３と第２駆動搬送ローラ２０４の間になるように構成されている。
【００３５】
また、整合手段２８０は、シートの幅方向略中央を基準にしてシートの幅方向に移動可能に設けられているが、シートを幅方向一方側の第１の積載位置または他方側の第２の積載位置に移動させるシート位置変更手段２７０とは独立して移動可能に設けられている。
【００３６】
すなわち、整合手段２８０は、シートの幅方向略中央を中心に対称的に往復移動してシートの幅方向端部の位置を整合するものである。これに対して、シート位置変更手段２７０は、整合手段２８０のシート幅方向への移動とは独立して、ユニット全体がシート幅方向の一方側又は他方側に移動してシートを所定の積載位置（ここでは、第１の積載位置または第２の積載位置）に移動させるものである。
【００３７】
なお、シート位置変更手段２７０によってシートを幅方向に移動するとき、整合手段２８０はそのシートの移動領域外に位置するため、シート位置変更手段２７０によるシートの幅方向一方側又は他方側への移動を阻害しない。
【００３８】
次に、本装置全体の制御を司る制御装置の構成について、図１２を用いて説明する。図１２は制御装置の構成を示すブロック図である。
【００３９】
画像形成装置本体が有する制御部は、図１２に示すように、ＣＰＵ回路部３０５を有し、ＣＰＵ回路部３０５は、ＣＰＵ（図示せず）、ＲＯＭ３０６、ＲＡＭ３０７を内蔵している。この制御部は、ＲＯＭ３０６に格納されている制御プログラムにより、操作部３０８、送られてきた画像信号を用いて画像形成部にて画像を形成するプリンタ制御部３０４、シート処理装置に搭載されたシート処理装置制御部５０１などを総括的に制御する。ＲＡＭ３０７は、制御データを一時的に保持し、また制御に伴う演算処理の作業領域として用いられる。
【００４０】
操作部３０８は、画像形成に関する各種機能を設定する複数のキー、設定状態を示す情報を表示するための表示部などを有している。操作部３０８は、各キーの操作に対応するキー信号をＣＰＵ回路部３０５に出力するとともに、ＣＰＵ回路部３０５からの信号に基づき対応する情報を表示部に表示する。
【００４１】
シート処理装置制御部５０１はシート処理装置１に搭載され、図示しない通信用ＩＣ（ＩＰＣ）を介して画像形成装置本体のＣＰＵ回路部３０５と情報のやり取りを行うことによってシート処理装置全体の駆動制御を行う。シート処理装置制御部５０１はＣＰＵ４０１、ＲＯＭ４０２、ＲＡＭ４０３を有している。
【００４２】
シート処理装置制御部５０１は、ＲＯＭ３０６に格納されている制御プログラムにより、シート搬送するための入口ローラ対等の搬送手段４２０、シートの搬送方向と直交する方向の端部の位置を検知するシート位置検知手段３００、シートの搬送方向と直交する方向の位置を変更するシート位置変更手段２７０、前記シート位置変更手段２７０に具備されている搬送手段２９０、前記搬送手段２９０の搬送圧を解除するための解除手段４２５、穿孔処理を施す穿孔手段２４０等を制御している。ＲＡＭ４０３は、制御データを一時的に保持し、また制御に伴う演算処理の作業領域として用いられる。
【００４３】
図１３は、シートに穿孔処理を施す動作に関するフローチャート図である。図１３に示す流れに沿って、一連の処理がなされる。
【００４４】
以下、図１３及び図４〜図７を用いて、シートＳの流れに沿って穿孔処理に関わる動作について説明する。
【００４５】
図１３において、画像形成が開始され、画像形成装置本体から排出されたシートは、シート処理装置内に搬送されてくる（ステップＳ１１）。シート処理装置内に搬送されてきたシートＳは、図４、図５に示すように、後端ストッパー部材２４２の上部を通過する（ステップＳ１２）。これにより、後端ストッパー部材２４２はシートＳに押されて回動バネの付勢力に抗して回動し、搬送経路内から搬送経路外へ退避する。
【００４６】
その後、シートＳの後端が後端ストッパー部材２４２を通過すると、後端ストッパー部材２４２は回動バネの付勢力により再び搬送経路内に突出する。シートＳは、後端ストッパー部材２４２を通過後、停止する（ステップＳ１３）。
【００４７】
なお、前述したように、シートＳが後端ストッパー部材２４２を通過したか否かは、検知センサ２４５により検知している。そして、この検知信号に基づいて、前述したようにシートＳを停止している。
【００４８】
シートＳの停止後、ステップＳ１４にて、解除ソレノイド２７７が図５中矢印Ｂ方向に作動し、第１従動搬送ローラ２７３と第２従動搬送ローラ２７４を、解除リンク２７５を介して、対向する第１駆動搬送ローラ２０３と第２駆動搬送ローラ２０４から離間させる。同時に、第１駆動搬送ローラ２０３及び第２駆動搬送ローラ２０４が、シート搬送方向とは逆の方向に回転（図５中矢印Ｃ方向）する。すなわち、第１搬送ローラ対２０３，２７３と第２搬送ローラ対２０４，２７４によるシートＳの挟持（圧力）を解除すると同時に、シートの逆転搬送を行う。
【００４９】
このように、前記搬送ローラ対によるシートの挟持の解除（圧解除）の動作と、前記各駆動搬送ローラ２０３，２０４の逆転をほぼ同じタイミングで行う。これにより、完全に圧解除されるまでの微少時間においては、シートＳは上流側の穿孔手段２４０側に搬送されることになる。圧解除がされた後は、シートＳの自重接触による搬送力と、シートの自重にて、シートＳは上流側に移動する。移動されたシートＳは後端ストッパー部材２４２に達し、シートＳの後端が突き当て面２４４に当接する。
【００５０】
さらに、その後の処理について、図６、図７を用いて説明する。
【００５１】
シートＳの後端が突き当て面２４４を突き当たる前後に、整合手段２８０が、シートＳの幅方向略中央を基準に幅方向（搬送方向と直交する方向）へ移動してシートＳの幅方向両端部に当接し、シートの姿勢を修正する（ステップＳ１５）。すなわち、整合手段２８０によりシートＳを整合する際に、シート位置変更手段２７０に具備されている各搬送ローラ対の挟持（圧力）を解除する。この時、第１駆動搬送ローラ２０３と第２駆動搬送ローラ２０４は、シート搬送方向とは逆の方向への回転を継続している。そのため、軽い搬送力を持って、シートＳを後端ストッパー部材２４２側に搬送を続けている。これにより、シートＳの後端は突き当て面２４４との接触を維持することが可能となる。
【００５２】
整合手段２８０によるシートＳの姿勢修正後、整合手段２８０をシートＳの幅方向両端部に当接して整合手段２８０でシートＳを拘束している状態で、各駆動搬送ローラ２０３，２０４の駆動（逆回転）を停止する（ステップＳ１６）。前述の駆動搬送ローラ２０３，２０４の逆回転を停止した後、姿勢が修正されたシートに対して穿孔手段２４０により穿孔処理が行われる（ステップＳ１７）。
【００５３】
次に、図８、図９、図１０を用いて、前述の穿孔処理が行われる時に同時に行われるシート位置変更手段２７０の動作を説明する。具体的には、搬送ローラ対２０３，２７３と搬送ローラ対２０４，２７４の挟持（圧力）を解除している間に、シート位置変更手段２７０を穿孔処理位置から幅方向にずれた積載位置に移動させる方向とは反対方向に予め移動させる動作である。
【００５４】
図８は仕分け積載を示した図であり、仕分け積載した際のシートの積載位置（ここでは、前述した第１の積載位置と第２の積載位置）を示した図である。図８において、Ｌは積載状態でシートの仕分け量である。ここでいう仕分け量Ｌとは、シート位置変更手段２７０によって、シートの幅方向一方側の第１の積載位置に移動されたシートと、幅方向他方側の第２の積載位置に移動されたシートとの、幅方向の位置の差分である。なお、図８では、幅方向一方側の第１の積載位置に移動されたシートを実線で、幅方向他方側の第２の積載位置に移動されたシートを破線で示す。
【００５５】
穿孔処理を行う場合においては、シートＳは、後端ストッパー部材２４２への突き当てと整合手段２８０による整合により、幅方向（搬送方向と直交する方向）の略中央を基準とする初期位置（穿孔処理位置）に位置している。
【００５６】
シートＳは、穿孔処理後にシート位置変更手段２７０によりシート搬送方向に搬送しながら、所定量（ここでは０．５Ｌ）だけ、幅方向一方側（図８中上側）の第１の積載位置、または他方側（図８中下側）の第２の積載位置に移動され、仕分けて積載される。
【００５７】
従来は、初期位置である穿孔処理位置でシートに穿孔処理を行った後に、シートを穿孔処理位置から所定の積載位置に移動させていた。このため、続けて穿孔処理を行うには、その後さらに、シート位置変更手段２７０を穿孔処理位置である初期位置へ戻さなければならなかった。このため、その移動を行う分だけ処理に時間がかかり、穿孔処理を施すシートの生産性が低下するという問題があった。
【００５８】
そこで、搬送ローラ対によるシートの挟持を解除した状態で、前記初期位置にて整合手段により拘束したシートに穿孔処理を行っているときに、シート位置変更手段を、初期位置から所定の積載位置への移動方向とは反対側に、予め移動させておく。このときの移動量は、初期位置からシートの幅方向一方側又は他方側の所定の積載位置までの移動分（所定量）である。
【００５９】
すなわち、穿孔処理後のシートを幅方向一方側の第１の積載位置に移動させる場合には、シート位置変更手段を初期位置から第１の積載位置への移動分だけ、幅方向反対側となる幅方向他方側に予め移動させておく。同様に、穿孔処理後のシートを幅方向他方側の第２の積載位置に移動させる場合には、シート位置変更手段を初期位置から第２の積載位置への移動分だけ、幅方向反対側となる幅方向一方側に予め移動させておく。
【００６０】
これにより、穿孔処理後に、シート位置変更手段を所定の積載位置に移動させることで、シートは幅方向に移動されて所定の積載位置に積載されるものの、シート位置変更手段は、予め移動分だけ反対側に移動していたため、穿孔処理位置となる初期位置に戻る。そのため、前述したように、初期位置である穿孔処理位置へ戻す時間を短縮することができ、よって穿孔処理を行うシートの生産性を向上させることができる。
【００６１】
図９は、シートを幅方向一方側の第１の積載位置に仕分け積載する場合に予め行われるシート位置変更手段２７０の移動動作を示した図である。この場合、搬送ローラ対２０３，２７３と搬送ローラ対２０４，２７４の圧力を解除している間、初期位置から所望の積載位置である第１の積載位置への移動分だけ、幅方向反対側となる幅方向他方側（図９中矢印Ｄ方向）へシート位置変更手段２７０を移動させる。
【００６２】
ここで、初期位置から所望の積載位置への移動分は、前述した仕分け量（第１の積載位置と第２の積載位置との幅方向の差分）Ｌの半分（１／２）である所定量（０．５Ｌ）となる。
【００６３】
このように、搬送ローラ対２０３，２７３と搬送ローラ対２０４，２７４の挟持解除の間に、シート位置変更手段２７０を初期位置から所望の積載位置への移動分だけ、予め移動させておく。これにより、穿孔処理後にシート位置変更手段２７０がシートＳを第１の積載位置に移動させた際に、シート位置変更手段２７０が初期位置（穿孔処理位置）に戻ることとなる。
【００６４】
このため、所望の積載位置となる第１の積載位置へのシートＳの移動を終了した時点で、シート位置変更手段２７０は、シートの搬送方向と直交する方向の略中央に位置することになる。したがって、シート位置変更手段２７０は、シートＳを所望の積載位置に移動した後、次のシートを位置移動することなくそのまま受け取ることができる。
【００６５】
一方、図１０は、シートを幅方向他方側の第２の積載位置に仕分け積載する場合に予め行われるシート位置変更手段２７０の移動動作を示した図である。この場合、搬送ローラ対２０３，２７３と搬送ローラ対２０４，２７４の圧力を解除している間、初期位置から所望の積載位置である第２の積載位置への移動分だけ、幅方向反対側となる幅方向一方側（図１０中矢印Ｅ方向）へシート位置変更手段２７０を移動させる。
【００６６】
このように、搬送ローラ対２０３，２７３と搬送ローラ対２０４，２７４の挟持解除の間に、シート位置変更手段２７０を初期位置から所望の積載位置への移動分だけ、予め移動させておく。これにより、穿孔処理後にシート位置変更手段２７０がシートＳを第２の積載位置に移動させた際に、シート位置変更手段２７０が初期位置（穿孔処理位置）に戻ることとなる。
【００６７】
このため、所望の積載位置となる第２の積載位置へのシートＳの移動を終了した時点で、シート位置変更手段２７０は、シートの搬送方向と直交する方向の略中央に位置することになる。したがって、シート位置変更手段２７０は、シートＳを所望の積載位置に移動した後、次のシートを位置移動することなくそのまま受け取ることができる。
【００６８】
このようなシート位置変更手段２７０の移動は、ステップＳ１７にて搬送ローラ対２０３，２７３と搬送ローラ対２０４，２７４の挟持解除の間に、穿孔処理と同時に行われる。そのため、シートを所望の積載位置に移動させた後に初期位置（穿孔処理位置）に戻す場合に比べて、シートの穿孔処理動作のトータルの動作時間が短縮され、生産性が向上する。
【００６９】
図１１は、前述の穿孔処理とシート位置変更手段の所定量移動の動作が行われた後の動作を示した図である。
【００７０】
前述した穿孔処理とシート位置変更手段２７０の所定量移動が終了した後、解除ソレノイド２７７が図１１中矢印Ｆ方向に作動する。すなわち、第１従動搬送ローラ２７３と第２従動搬送ローラ２７４を、解除リンク２７５を介して、対向する第１駆動搬送ローラ２０３、及び第２駆動搬送ローラ２０４と当接する（ステップＳ１８）。これにより、シートＳが搬送ローラ対２０３，２７３と搬送ローラ対２０４，２７４に挟持される。
【００７１】
その後、各駆動搬送ローラ２０３，２０４は、シートＳを搬送方向に搬送するために図１１中矢印Ｇ方向に回転し、シートＳを下流側に搬送する（ステップＳ１９）。その搬送中に仕分け積載のためのシートの搬送方向と直交する方向への移動が行われる（ステップＳ２０）。すなわち、シートＳは所定の積載位置である第１の積載位置または第２の積載位置に移動される。
【００７２】
上述したように、整合手段２８０にてシートを整合する際に、シート位置変更手段２７０が有する搬送ローラ対の圧力（挟持）を解除して、シートの移動を容易にさせる。同時に、前述の搬送ローラ対の圧力（挟持）を解除している間に、整合手段２８０でシートを拘束した状態で、シート位置変更手段（シフトユニット）を所望の積載位置とは幅方向反対側に所定量だけ予め移動させる。これにより、この移動を終了した時点でシート位置変更手段２７０を初期位置（穿孔処理位置）に戻すことができ、次のシートを受け取ることができる。このように、穿孔処理に関わる動作を同時に並列処理することにより、生産性の向上が可能となる。
【００７３】
〔第２実施形態〕
前述した第１実施形態においては、シートＳを後端ストッパー部材２４２に突き当てるために、搬送ローラ対の離間（挟持解除）、各駆動搬送ローラの逆転、及びシートＳの自重落下を用いていた。これに対して、本実施形態においては、シートＳを後端ストッパー部材２４２に突き当てる補助的な手段（移動手段）を設けている。
【００７４】
図１４を用いて説明する。移動手段（戻し手段）２７９は、第１駆動搬送ローラ２０３の回転軸に１方向軸受を介して装着されている。移動手段２７９は、図中シートＳの搬送方向である矢印Ｇ方向の回転する場合には、軸の回転には追従せず、シートＳを後端ストッパー部材２４２側に戻す方向である矢印Ｃ方向に回転した時には、軸の回転に追従する。
【００７５】
移動手段２７９は、第１駆動搬送ローラ２０３のローラの半径よりも長い突起部を有し、ローラ軸の矢印Ｃ方向の回転に伴い搬送経路上にその突起部が侵入し、シートに対して弾性的に付勢してシートを確実に後端ストッパー部材２４２側に搬送する。そのため、前述した実施形態と同様の効果が得られるだけでなく、より早い時間で安定したシートの位置出しが可能となり、高生産、高精度の穿孔処理が可能となる。
【００７６】
図１５は、図１４に示す移動手段２７９の周辺をシート搬送方向と交差する方向からみた上視図であり、構成を解り易くするために、シート位置変更手段２７０の有する上ガイドユニットを省略して示した図である。
【００７７】
なお、本実施形態においては、移動手段２７９を第１駆動搬送ローラ２０３の回転軸に具備した構成を用いて説明したが、移動手段を他の部材を介して駆動させてもよい。
【００７８】
〔他の実施形態〕
前述した実施形態では、画像形成装置として複写機を例示したが、本発明はこれに限定されるものではなく、例えばプリンタ、ファクシミリ装置等の他の画像形成装置や、或いはこれらの機能を組み合わせた複合機等の他の画像形成装置であってもよい。これらの画像形成装置に用いられるシート処理装置に本発明を適用することにより同様の効果を得ることができる。
【００７９】
また前述した実施形態では、画像形成装置に対して着脱自在なシート処理装置を例示したが、本発明はこれに限定されるものではない。例えば画像形成装置が一体的に有するシート処理装置であっても良く、該シート処理装置に本発明を適用することにより同様の効果を得ることができる。
【００８０】
また前述した実施形態では、シートの搬送方向下流側端部に穿孔処理を施すシート処理装置を例示したが、これに限定されるものではない。例えば、シートの搬送方向上流側端部に穿孔処理を施すシート処理装置であってもよく、該シート処理装置に本発明を適用することにより同様の効果を得ることができる。
【符号の説明】
【００８１】
１００ …画像形成装置本体
２００ …シート処理装置
２４０ …穿孔手段
２４１ …ポンチ
２４２ …後端ストッパー部材
２４３ …回動中心軸
２４４ …突き当て面
２７０ …シート位置変更手段
２７５ …解除リンク
２７７ …解除ソレノイド
２７９ …移動手段
２８０ …整合手段
２９０ …搬送手段
３００ …シート位置検知手段
４２０ …搬送手段
４２５ …解除手段
【図１】
2012206784.tif 000003
【図２】
2012206784.tif 000004
【図３】
2012206784.tif 000005
【図４】
2012206784.tif 000006
【図５】
2012206784.tif 000007
【図６】
2012206784.tif 000008
【図７】
2012206784.tif 000009
【図８】
2012206784.tif 000010
【図９】
2012206784.tif 000011
【図１０】
2012206784.tif 000012
【図１１】
2012206784.tif 000013
【図１２】
2012206784.tif 000014
【図１３】
2012206784.tif 000015
【図１４】
2012206784.tif 000016
【図１５】
2012206784.tif 000017